(57)【特許請求の範囲】
【請求項１】
電気通信網中の第１及び第２の応用部間で信号情報を送信する方法であって、
前記第１の応用部において、前記第２の応用部に関するアドレス情報を含む前記信号情報を発生する工程、
もし必要ならば前記信号情報を区分化し、更に１または複数のＳＣＣＰメッセージの形にカプセル化するように構成された信号接続制御部（ＳＣＣＰ）へ前記信号情報を渡す工程、
前記カプセル化された信号情報を、ＳＣＣＰから、前記アドレス情報に関連するＩＰアドレスおよびポート番号を決定するように構成された第１のアダプテーション層へ渡す工程、
前記カプセル化された信号情報と前記ＩＰアドレスおよびポート番号をインターネット・プロトコル（ＩＰ）部へ渡して、前記カプセル化された信号情報をＩＰネットワーク上で１または複数のＩＰデータグラム中の前記ＩＰアドレスへ送信する工程、
ＩＰアドレスに関連する目的地において、前記ポート番号で指定される第２のアダプテーション層において、前記信号情報をカプセルから取り出す工程、および
前記カプセルから取り出した信号情報を第２の応用部へ配送する工程、
を含む方法。
【請求項２】
請求項１記載の方法であって、前記第１及び第２応用部が公衆地上移動電話網（ＰＬＭＮ）の対応する信号ノードに存在するピアな移動通信応用部（ＭＡＰ）またはインテリジェント・ネットワーク応用部（ＩＮＡＰ）である方法。
【請求項３】
請求項１または２記載の方法であって、前記第１のアダプテーション層において、前記アドレス情報中に含まれる目的ノード・コード（ＤＰＣ）からＩＰアドレスおよびポート番号を決定する工程を含む方法。
【請求項４】
請求項１または２記載の方法であって、前記第１のアダプテーション層において、前記アドレス情報中に含まれるグローバル名称から直接的にＩＰアドレスおよびポート番号を得る工程を含む方法。
【請求項５】
請求項１記載の方法であって、少なくとも前記第１及び第２のアダプテーション層の一方から、ＩＰに基づくネットワーク上の信号接続の状態を監視する工程と、それをＳＣＣＰへ報告する工程を含む方法。
【請求項６】
請求項１記載の方法であって、前記第１のアダプテーション層において、前記信号情報および前記アドレス情報を、前記第１のアダプテーション層とＩＰ部との間に挿入されたＵＤＰ／ＴＣＰ層によって処理するのに適した形に前記信号およびアドレス情報をカプセル化する工程を含む方法。
【請求項７】
電気通信網中で第１及び第２の応用部間で信号情報を送信するための装置であって、
前記第１の応用部において、前記第２の応用部に関するアドレス情報を含む前記信号情報を発生するための発生手段、
前記信号情報を受信し、もし必要ならば前記信号情報を区分化し、更に前記信号情報を１または複数のＳＣＣＰメッセージの形にカプセル化するように構成された信号接続制御部（ＳＣＣＰ）、
前記カプセル化された信号情報をＳＣＣＰから受信して、前記アドレス情報に関するＩＰアドレスおよびポート番号を決定するように構成された第１のアダプテーション層、
前記信号情報と前記ＩＰアドレスおよびポート番号を受信して、ＩＰネットワーク上で１または複数のＩＰデータグラム中の前記ＩＰアドレスへの信号情報の送信をするためのインターネット・プロトコル（ＩＰ）部、
前記ポート番号で指定され、ＩＰアドレスに関する目的地にあって、前記信号情報をカプセルから取り出すように構成された第２のアダプテーション層、および
前記カプセルから取り出された信号情報を第２の応用へ配送するための手段、
を含む装置。
【発明の詳細な説明】
【０００１】
（発明の分野）
本発明は電気通信システムにおけるシグナリングに関するものであって、詳細には、必ずしもそれに限定するものではないが、公衆地上移動電話網における信号データの送信に関する。
【０００２】
（発明の背景）
電気通信システムでは、システム要素またはノード間で情報を交換するために、信号機器および信号チャンネルが必要である。特に、このノード間のシグナリングによって、いわゆる“回路交換された”接続において電話またはデータの呼をセットアップまたは解放する時に何を実行すべきかをノードに対して指示する。シグナリングはまた、システムおよび個々の加入者に関する情報を交信するためにもしばしば使用される。
【０００３】
最近の電気通信システムは今や共通チャンネル信号（ＣＣＳ）を広く利用しており、それによって信号情報は、実際のユーザ情報（例えば、音声またはデータ）を運ぶために使用されるチャンネルからは切り離された１または複数の専用信号チャンネル上を送信される。ＣＣＳの重要な特徴は、既存の多様な電気通信網、例えば、公衆電話交換網（ＰＳＴＮ）、ディジタル統合サービス網（ＩＳＤＮ）、および公衆地上移動電話網（ＰＬＭＮ）、の他に、Ｂ−ＩＳＤＮ等の異なるプロトコルをサポートするネットワークの相互稼動性を大幅に拡張する提案段階の未来のプロトコルにおいて同じシグナリングでサービスをサポートできることである。
【０００４】
従来、支配的なＣＣＳは、Ｑ．７００から始まるＩＴＵ−Ｔ（国際電気通信連合−技術）勧告に定義される信号システム第７号（ＳＳ７）として知られている。ＳＳ７は、時分割多元接続（ＴＤＭＡ）Ｅ．１またはＴ．１送信フォーマットのフレーム当たり１タイム・スロットを占有するパケット交換網である（ユーザの音声またはデータ情報用には他のタイム・スロットが利用可能である）。個々の信号メッセージ・パケット（メッセージ信号ユニットまたはＭＳＵと呼ぶ）には対応する個別通話が付随する。単一の電話呼には比較的少量の信号情報しか付随しないので、２つのネットワーク・ノード間で数千もの通話に関するすべての信号を単一のＳＳ７チャンネルが処理できる。ＳＳ７ネットワーク中のＭＳＵが取る経路は、付随する通話が確立されたものと同一でもよいし、異なっていてもよいことを注意しておく。
【０００５】
既に述べたように、ＳＳ７（その他のＣＣＳシステムと一緒に）は、複数の異なる電気通信網（例えば、ＰＳＴＮ、ＩＳＤＮ、ＰＬＭＮ）をサポートできる。信号処理に関しては、ＳＳ７はメッセージ転送部（ＭＴＰ）を含んでおり、それは信号ネットワーク上での信号情報の物理的転送（ＭＴＰ第１層）、メッセージ・フォーマット化、エラー検出および修正等（ＭＴＰ第２層）、およびメッセージ経路指定（ＭＴＰ第３層）を処理する。ＳＳ７はまた、ユーザ部および応用部を含み、それらはいくつかの“ユーザ”（すなわち、ＩＳＤＮユーザ部、電話ユーザ部、移動電話応用部等）が同じ信号ネットワーク中で信号を送ることを許可する。
【０００６】
図１は、ＰＬＭＮと、ＩＳＤＮ、ＰＳＴＮ、および他のＰＬＭＮなどの“外部”ネットワークとのインタフェースを提供するゲートウエイ移動通信交換局（ＧＭＳＣ）１を有するＰＬＭＮ（ＧＳＭ）を示している。ＰＬＭＮに登録された移動局（ＭＳ）の一例が参照符号２で示されている。このＰＬＭＮ中には複数の例示ノードが示されており、それらには：ＧＭＳＣ１；移動通信交換局（ＭＳＣ）３；基地局コントローラ（ＢＳＣ）４；基地トランシーバ局（ＢＴＳ）５；インテリジェント・ネットワーク・ノード（ＩＮ）６；ビジター・ロケーション・レジスタ（ＶＬＲ）７；ホーム・ロケーション・レジスタ（ＨＬＲ）８；認証局（ＡＵＣ）９；および機器識別レジスタ（ＥＩＲ）１０が含まれる。ＰＬＭＮについてのこれ以上の詳細について、および電気通信網のその他の事項については、スウェーデン国ルンド市スツデントリテラツール（Ｓｔｕｄｅｎｔｌｉｔｔｅｒａｔｕｒ）社発行の“電気通信の理解（Ｕｎｄｅｒｓｔａｎｄｉｎｇ  Ｔｅｌｅｃｏｍｍｕｎｉｃａｔｉｏｎｓ）”の第１＆２巻（ＩＳＢＮ  ９１−４４−００２１４−９）に記述されている。
【０００７】
図１は上で詳細について述べたネットワーク・ノード間で信号のやり取りを行うために用いられる各種信号インタフェースを示している。これらのインタフェースには：ＧＭＳＣ１と外部ネットワークとの間のＩＳＵＰ／ＴＵＰインタフェース；ＭＳＣ３とインテリジェント・ネットワーク（ＩＮ）ノードとの間に用いられるＩＮＡＰインタフェース；ＭＳＣ／ＧＭＳＣ１，３とＰＬＭＮ固有のノード（ＶＬＲ、ＨＬＲ、ＡＵＣ、ＥＩＲ）６−１０との間に用いられるＭＡＰインタフェース；ＭＳＣ３とＢＳＣ４との間に用いられるＢＳＳＭＡＰ；およびＢＳＣ４とＢＴＳ５との間に用いられるＡｂｉｓインタフェースが含まれる。従来は、これらのインタフェースはすべて、ＭＴＰ層の上に位置する、ＳＳ７ネットワークのユーザ部および応用部として機能していた。結果のプロトコル・スタックを図２に示す。
【０００８】
応用部とネットワーク信号サービスとの間の標準的および共通インタフェースとともに、特定の機能およびプロトコルを備えるＩＮＡＰおよびＭＡＰ（これも信号ネットワーク上でのコネクションレス型通信に依存するＯＭＡＰのようなその他特定の応用部も）を提供するために、これらの応用部とＭＴＰとの間にトランザクション能力応用部（ＴＣＡＰまたはＴＣ）が挿入された。更に、信号接続を制御するために、ＴＣＡＰとＭＴＰとの間に信号接続および制御部（ＳＣＣＰ）が挿入された。ＳＣＣＰはまた、信号ネットワーク上でのコネクション型、および／またはコネクションレス型通信に依存し、ＴＣＡＰのサービスを利用しないその他特定の応用部（SＣＣＰユーザと呼ぶ、例えばＢＳＳＭＡＰ）によっても利用される。
【０００９】
ＳＳ７は電気通信網の“可視性エリア（ｖｉｓｉｂｉｌｉｔｙ  ａｒｅａ）”を通って信号データを配送するために、目的地コード（ＤＰＣ）として知られるアドレスを利用する。可視性エリアは典型的にはネットワークそれ自身であり、そのネットワークと他のオペレータの制御下にある“外部”ネットワークとの間のインタフェースを含めたものである。ＤＰＣはＭＳＵのヘッダに置かれ、ＭＳＵの受信に応じてネットワーク信号ノード（ＳＰ）によって検査されてその目的地への途中においてＭＳＵの次のホップを決定する。いわゆるサブシステム番号（ＳＳＮ）が、特殊応用部へデータを転送するためにＳＳ７によって用いられるが（下記参照）、これもＭＳＵに含まれている。
【００１０】
図２を参照すると、ＳＣＣＰ層の上にある各種の応用部間での経路決定はいわゆる“グローバル名称”を用いて実現される。グローバル名称は（特に）ＰＬＭＮでダイヤルされた番号、あるいは動き回っている移動局（図１に示す特別な例について）の番号を含む。ＳＣＣＰは、グローバル名称を分析し、それをＤＰＣへ、またオプションとして、ＳＳ７ネットワーク中の次の、あるいは最後の信号ノードを指定するサブシステム番号（ＳＳＮ）へ変換するために必要なネットワークおよび経路指定のすべての情報を含む。
【００１１】
ＳＳ７ネットワークでは、可視性エリア内でのＤＰＣアロケーションに何らかの変化があれば、オペレータはネットワークの各ＳＰに存在するＤＰＣデータベース（あるいはルーチング・テーブル）を更新することを要求される。しかし、このことはネットワークの保守に多大なオーバーヘッドを加えることになる。ＳＳ７の専従性は、導入および保守（ハードウエアおよびソフトウエアの両面で）を一般的に高価なものとし、将来性のある新しいテレコム・オペレータにとって重大な障壁となっている。更に、ＳＳ７ネットワークがＥ．１／Ｔ．１送信プロトコルのＴＤＭＡフレーム上でバンド幅を占有するため（時間フレーム当たり１スロット）、実際のユーザの通話データに利用できるバンド幅が制約される。従来の信号アーキテクチャの更に別の欠点は、ＳＳ７ネットワークの相互稼動性がＭＴＰ物理層の専従性のために限られることである。
【００１２】
（本発明の概要）
本発明の１つの目的は、既存の電気通信信号システムの上述の欠点を克服ないしは少なくとも和らげることである。
【００１３】
本発明の第１の態様に従えば、電気通信網中の一対の応用部間で信号情報を送信する方法が提供される。本方法は、
前記応用部の第１のものにおいて、前記応用部の第２のものに関するアドレス情報を含む前記信号情報を発生する工程、
もし必要ならば前記信号情報をセグメント化し、更に１または複数のＳＣＣＰメッセージの形にカプセル化するように構成された信号接続制御部（ＳＣＣＰ）へ、前記信号情報を渡す工程、
前記カプセル化された信号情報を、ＳＣＣＰから、前記アドレス情報に関連するＩＰアドレスおよびポート番号を決定するように構成されたアダプテーション層へ渡す工程、
前記信号情報と前記ＩＰアドレスおよびポート番号をインターネット・プロトコル（ＩＰ）部へ渡して、ＩＰネットワーク上で前記信号情報を１または複数のＩＰデータグラム中の前記ＩＰアドレスへ送信する工程、
前記ＩＰアドレスに関連する目的地において、前記ポート番号で指定されるアダプテーション層において、前記信号情報をカプセルから取り出す工程、および
前記カプセルから取り出した信号情報を第２のユーザ部へ配送する工程、
を含む。
【００１４】
信号情報を送信するのにＩＰに基づくネットワークを利用することによって、従来の信号インフラストラクチャの（これはまだ部分的に利用されているものの）必要性は減少する。ＩＰに基づくネットワークは柔軟性を増大させ（例えば、ネットワークのルータは自己更新できるルーチング・テーブルを有する）、稼動、保守、および技術的なコストを従来の電気通信信号ネットワークと比べて削減する。
【００１５】
本発明の方法は特に公衆地上移動電話網（ＰＬＭＮ）に対して適用可能である。そこでは、応用部の前記対は、例えば、ＰＬＭＮのそれぞれ対応する信号ノードに存在するピア（ｐｅｅｒ）な移動通信応用部（ＭＡＰ）またはインテリジェント・ネットワーク応用部（ＩＮＡＰ）でありうる。
【００１６】
本発明の特定の実施の形態では、ＳＣＣＰは前記アドレス情報（例えば、グローバル名称）と関連する目的ノード・コード（ＤＰＣ）との間の、更にオプションとしてサブシステム番号（ＳＳＮ）との間の変換を実行する。この場合に、ＩＰアドレスおよびポート番号は、グローバル名称から直接的ではなく、ＤＰＣを用いてアダプテーション層において決定される。しかし、他の実施の形態では、ＩＰアドレスおよびポート番号はアダプテーション層においてグローバル名称から直接に得られる。
【００１７】
好ましくは、アダプテーション層は、ＩＰアドレスに基づくネットワーク上での信号接続の状態を監視し、これについてＳＣＣＰに報告を行うように構成されている。
【００１８】
好ましくは、信号情報はアダプテーション層からＵＤＰまたはＴＣＰカプセル化層を経由してＩＰ部へ渡される。更に詳細には、アダプテーション層は、信号およびアドレス情報を、ＵＤＰまたはＴＣＰ層が更に処理するのに適した形にカプセル化するように構成されている。
【００１９】
第１の応用部において生成される信号情報はトランザクション能力応用部を経由してＳＣＣＰへ送られよう。あるいは、応用部は情報をＳＣＣＰへ直接渡す。ＳＣＣＰの機能は、それのルーチングおよびカプセル化機能に加えて、信号チャンネル上でのコネクションレス型およびコネクション型の両通信を容易にすることであることを指摘しておく。
【００２０】
本発明の第２の態様に従えば、電気通信網中で一対の応用部間で信号情報を送信するための装置が提供される。本装置は、
前記応用部の第１のものにおいて、前記応用部の第２のものに関するアドレス情報を含む前記信号情報を発生するための発生手段、
前記信号情報を受信し、もし必要ならば前記信号情報を区分化し、更に前記情報を１または複数のＳＣＣＰメッセージの形にカプセル化するように構成された信号接続制御部（ＳＣＣＰ）、
前記カプセル化された信号情報を受信して、前記アドレス情報に関するＩＰアドレスおよびポート番号を決定するように構成されたアダプテーション層、
前記信号情報と前記ＩＰアドレスおよびポート番号を受信し、ＩＰネットワーク上で１または複数のＩＰデータグラム中の前記目的ＩＰアドレスへの信号情報の送信を処理するためのインターネット・プロトコル（ＩＰ）部、
前記ポート番号で指定され、前記ＩＰアドレスに関する目的地において、前記信号情報をカプセルから取り出すためのアダプテーション層、および
前記信号情報を第２のユーザ部へ配送するためのルーチング手段、
を含む。
【００２１】
本発明の第３の態様に従えば、電気通信網の共通チャンネル信号（ＣＣＳ）ネットワークからインターネット・プロトコル（ＩＰ）に基づくネットワークへ、信号情報を結合するためのゲートウエイ・ノードが提供される。本ゲートウエイ・ノードは、
前記ＣＣＳネットワーク上で信号情報を受信するように構成されたメッセージ転送部（ＭＴＰ）、
前記ＣＣＳネットワーク上で信号接続を制御しながら、前記ＭＴＰから前記信号情報を受信するように構成された信号接続制御部（ＳＣＣＰ）、
前記ＳＣＣＰから１または複数のＳＣＣＰメッセージの形で前記信号情報を受信して、前記ＳＣＣＰメッセージ（単数または複数）中に含まれるグローバル名称または目的ポート・コード（ＤＰＣ）に関するＩＰアドレスおよびポート番号を決定し、ＩＰに基づくネットワーク上での接続を制御するように構成されたアダプテーション層、
前記アダプテーション層から前記信号情報と前記ＩＰアドレスおよびポート番号を受信して、前記ＩＰに基づくネットワーク上でＩＰデータグラムの形での前記信号情報の送信を処理するＩＰ層、
を含む。
【００２２】
（特定実施の形態の詳細な説明）
ＧＳＭ  ＰＬＭＮの信号ノードおよび信号インタフェースに関しては既に図１および２を参照しながら上で述べた。図３はＧＳＭ  ＰＬＭＮの各種ノードを示しており、そこでは本説明の便宜上、それらのノードの各々が従来の構成を有する応用部（例えば、ＭＡＰ、ＩＮＡＰ）を含むことを想定しているため、何らかの他のノードにあるピアな応用部へ信号情報を送信するためにＳＳ７によってサポートを受けることができる。特にＭＳＣ３ａ、３ｂおよびＧＭＳＣ１について考えると、これらのノードは信号情報の通信のために従来のＳＳ７ネットワーク１１へつながれている。
【００２３】
ＩＮノード６、ＶＬＲ７、ＨＬＲ８、ＡＵＣ９、およびＥＩＲ１０を含むインテリジェント・ネットワークおよび移動電話網に固有のノードは、それぞれ、ＳＳ７を介してピア・ツー・ピア通信用に同様に構築された応用部（および、特にＭＡＰおよびＩＮＡＰ）を有する。しかし、これらのノードはそれぞれ、それらがＩＰネットワーク１２を介して信号情報を交信することを許可する付加的なインタフェースを含んでいる。ＳＳ７につながれたノードおよびＩＰネットワークにつながれたノードの相互作用を可能とするために、２つの信号ネットワーク１１、１２はゲートウエイ・ノード１３によってつながれている。
【００２４】
図４は、ＩＰネットワーク１２へつながれたノード（ノード１）、ゲートウエイ・ノード１３（ノード２）、およびＳＳ７ネットワーク１１へつながれたノード（ノード３）に存在するプロトコル層を模式的に示している。図示の層のうちで、ＩＮＡＰ／ＭＡＰ、ＴＣＡＰ、ＳＣＣＰ、ＴＣＰ／ＵＤＰ、ＩＰ、物理層、およびＭＴＰは構造的には本質的に従来のものであるため、詳細には説明しない。むしろ、読者はスウェーデン国ルンド市スツデントリテラツール（Ｓｔｕｄｅｎｔｌｉｔｔｅｒａｔｕｒ）社発行の“電気通信の理解（Ｕｎｄｅｒｓｔａｎｄｉｎｇ  Ｔｅｌｅｃｏｍｍｕｎｉｃａｔｉｏｎｓ）”の第１＆２巻（ＩＳＢＮ  ９１−４４−００２１４−９）および信号システム第７号（ＳＳ７）を定義するＱ．７００から始まるＩＴＵ−Ｔ（国際電気通信連合−技術）勧告に含まれる文献を参照すべきである。ここでの議論は主としてＴＣＰ／ＩＰおよび物理層でＭＴＰを置き換えることを可能にし、従ってピアなＳＣＣＰがＩＰネットワーク１２上で通信できるようにするアダプテーション層に関するものである。
【００２５】
既に上で述べたように、ＭＳＵは、各ＭＳＵに付加された目的ノード・コード（ＤＰＣ）を用いて、ＳＳ７ネットワーク中で信号ノードへ経路指定される。１つの信号ノードにおいて、メッセージは、これもＭＳＵへ付加されたサブシステム番号（ＳＳＮ）に基づいて特定の応用（例えば、ＨＬＲ、ＶＬＲ等）へ向けられる。他方、ＩＰネットワーク中のデータグラムは、ＩＰアドレスに基づいて目的マシンへ、更にＩＰポート番号に基づいて特別なマシン上で動作する応用へ向けられる。アダプテーション層の主な機能は、従って、ＤＰＣをＩＰアドレスおよびポート番号へ変換することであり、このプロセスはＤＰＣおよびＩＰアドレス／ポート番号に付随するデータベースを用いて実行される。逆方向の変換、すなわちＩＰアドレス／ポート番号からＤＰＣへの変換は通常は必要ではなく、それはＭＳＵがどのような場合でも、ＤＰＣ（あるいはそれからＤＰＣを決定できるグローバル名称）を含むからであることを指摘しておく。
【００２６】
ノード１では、ノード３へ送信すべき信号データに対して、アダプテーション層はＳＣＣＰ層から受信するメッセージ“基本命令”中に含まれるＤＰＣ／ＳＳＮに関するＩＰアドレスおよびポート番号を決定する（この基本命令はＳＣＣＰメッセージと呼ばれる）。アダプテーション層は次に、この情報をＴＣＰ（あるいはＵＤＰ）層へ渡す前に、この基本命令をＴＣＰ（またはＵＤＰ層）が受け入れられるフォーマットにカプセル化する。アダプテーション層の別の機能は２つの交信を行うピアな応用部間の接続状態を監視することである。例えば、もしこれらの応用間の通信が切断されて再確立できなければ、アダプテーション層はこのことをＳＣＣＰへ報告しよう。理解されるであろうように、アダプテーション層はＭＴＰのそれと同じようにＳＣＣＰと交信する。
【００２７】
ＴＣＰ（またはＵＤＰ）層による処理の後で、メッセージはＩＰ層へ渡される。この主たる機能はＩＰネットワーク上でのデータグラムの経路指定を処理することである。
【００２８】
ＩＰネットワーク１２上を送信されるメッセージは次のような構造を有する。
【００２９】
0004248749.tif 000002
【００３０】
ここでＳＩＯはサービス情報オクテットである（これは特定の状況では省略されよう）。
【００３１】
ゲートウエイ・ノード１３（図４のノード２）では、アダプテーション層がＴＣＰ−ＵＤＰ／ＩＰ層とＳＣＣＰとの間に挿入される。アダプテーション層はここでも、ＤＰＣとＩＰアドレス／ポート番号との間の変換について配慮する。このように、ＩＰネットワーク１２上で受信される信号データグラムに対して、アダプテーション層はメッセージをカプセルから取り出してそれを以降の処理のためにＳＣＣＰへ渡す。
【００３２】
ＳＳ７ネットワーク１１上での送信のために、ＳＣＣＰは基本命令をＭＴＰへ渡し、それは既知のやり方で送信を処理する。同様に、受信ノード（ノード３）におけるプロトコル層は従来のＳＳ７構造に対応する。
【００３３】
当業者には理解されるであろうように、本発明のスコープから外れることなく上述の実施の形態に対して各種の修正を施すことができる。例えば、図３に示すネットワーク・ノードの接続性を変更して、ＭＳＣおよび／またはＧＭＳＣをＩＰネットワークへつないだままで、特定のＩＮ／ＰＬＭＮノードがＳＳ７ネットワークへつながれるようにしてもよい。更に、ノードがＳＳ７ネットワークとＩＰネットワークの両方につながれて、１つのネットワークが他方のネットワークのバックアップを提供する場合もある。更に、すべてのノードを２つまたはそれ以上のＳＳ７ネットワークへつないで、ＩＰに基づくネットワークおよび複数のＳＳ７／ＩＰゲートウエイ・ノードを介してそれらのネットワークを一緒につなぐことが可能である。
【００３４】
上述の実施の形態に対する別の修正では、処理連鎖からＴＣＡＰが省かれて、例えば、ユーザ応用がＴＣＡＰのサービスを要求しない。この場合には、ＩＰネットワーク上を送信されるメッセージは以下に与える構造を有する。
【００３５】
0004248749.tif 000003
【図面の簡単な説明】
本発明をより良く理解するために、またそれをどのように実施するかを示すために、ここで一例として添付図面を参照する。
【図１】  ＧＳＭネットワークを、そこで使用されている信号プロトコルと一緒に模式的に示す。
【図２】  図１のネットワークのＳＳ７プロトコルの信号処理層を模式的に示す。
【図３】  電気通信網において信号情報を送信するためのＴＣＰ／ＩＰネットワークの利用を模式的に示す。
【図４】  図３の電気通信網のノードに存在する信号プロトコル層を示す。
【図１】
0004248749.tif 000004
【図２】
0004248749.tif 000005
【図３】
0004248749.tif 000006
【図４】
0004248749.tif 000007